(57)【要約】【課題】    錠装置（サムターン）の不正な操作、扉の隙間から針金などを使って開錠するピッキングを防止する確実で簡単な構造で、かつ使用時の利便性に優れたサムターン回転防止カバーを提供する。【解決手段】    サムターン回転防止カバーは、サムターン７の周囲全体を連続して一体に覆うように、扉６の内壁面に固定したステンレスパイプ材などの円筒体１と、該円筒体１の開口部に被せた開閉操作が簡単な構造の透明カバー２とで形成する。【選択図】  図１
2005083012.tif 000002
【特許請求の範囲】
【請求項１】
サムターンの周囲全体を連続して一体に覆うように、扉の内壁面に固定した筒状体と、該
筒状体の扉壁面側と対向する側の開口部に被せた透明カバーとで形成したことを特徴とす
るサムターン回転防止カバー。
【請求項２】
上記筒状体は、強化プラスチックパイプ材、ステンレスパイプ材などからなる剛構造体で
形成し、上記透明カバーは、アクリル等のプラスチック材で形成したことを特徴とする請
求項１記載のサムターン回転防止カバー。
【請求項３】
上記透明カバーは、扉の内壁面に平行する平面に沿って左右に回転するように、上記筒状
体の外部上端側縁の支軸に取付けた孔付き平面板で形成したことを特徴とする請求項１又
は２記載のサムターン回転防止カバー。
【発明の詳細な説明】
【技術分野】
【０００１】
この発明は、錠装置の屋内側に露出する回転式のサムターンの不正な操作防止、つまり
扉の隙間に針金等を差込んで外部からサムターンを回転させて解錠するピッキングを防止
するための簡単で確実な対応手段として、サムターンの周囲を覆って接触及び回転させる
のを防止するサムターン回転防止カバーに関するものである。
【背景技術】
【０００２】
従来の錠装置の解錠防止具に係る発明には、特開２００３−１３６３７号（特許文献１
参照）がある。
この発明の「錠装置、錠装置の解錠防止具及び解錠防止方法」は、取付部材１と係合部
材２とを備え、蝶番３を介して係合部材２が回動可能に取付けられ、サムターンが回転し
ないように係合するように形成されている。
【０００３】
また、サムターンを開錠操作できないように覆いを設けた発明には、特開２００３−５
６２１８号（特許文献２参照）がある。
この「サムターンカバー７」は、開閉自在な蓋体１４を備え、サムターン１を囲繞する
箱状部材８よりなり、左右側板９と上面板１０及び背面板１１とで構成されている。
【０００４】
【特許文献１】特開２００３−１３６３７号
【特許文献２】特開２００３−５６２１８号
【発明の開示】
【発明が解決しようとする課題】
【０００５】
上記特許文献１の「錠装置の解錠防止具」は、取付部材１及び係合部材２が頑丈である
ため、構造が複雑化していた。
また、内部から蝶番３を介して係合部材２を取付部材１へ係合させる構造のため、在宅中
に内部から係合させ使用して扉の外側からの不正な開錠操作を防止することはできるが、
外出する時に扉の外側から係合させて使用することはできないため、不在時に扉の外側か
らの不正な開錠操作を防止すること、つまりピッキングによる侵入防止を図ることはでき
なかった。
【０００６】
また、上記特許文献２の「サムターンカバー」は、箱状部材８が大きい構造で支軸部が
複雑で壊れる恐れがあり、また蓋の開閉の動きが手前に向けて大きくなるため、片手の指
では操作がし難く扉の開閉の際に邪魔となる場合があった。
さらに、箱状部材８の下部が開いているものは、この開口部から針金状の部材を差込まれ
る恐れがあり、また平面板を用いて箱体に形成しているため、鈎状の物を引っ掛けて壊さ
れるなどの心配も生じた。
【０００７】
この発明の目的は、上述の従来技術が有する問題点に鑑みてなされたもので、簡単で確
りした構造であって、使用時の作動性、利便性に優れたサムターン回転防止カバーを提供
するものである。
【課題を解決するための手段】
【０００８】
請求項１に係る発明のサムターン回転防止カバーは、サムターンの周囲全体を連続して
一体に覆うように、扉の内壁面に固定した筒状体と、該筒状体の上面側つまり扉壁面側と
対向する側の開口部に被せた透明カバーとで形成したものである。
【０００９】
また、請求項２に係る発明のサムターン回転防止カバーは、上記筒状体は強化プラスチ
ックパイプ材、ステンレスパイプ材などからなる剛構造体で形成し、上記透明カバーは、
アクリル等のプラスチック材で形成したものである。
【００１０】
また、請求項３のサムターン回転防止カバーは、上記透明カバーは扉の内壁面に平行す
る平面に沿って左右に回転するように、上記筒状体の外部上端側縁の支軸に取付けた指掛
け用の孔付き平面板で形成したものである。
【発明の効果】
【００１１】
請求項１に係る発明のサムターン回転防止カバーは、サムターンの周囲全体を連続して
一体に覆うように扉の内壁面に固定した筒状体と、該筒状体の上面側開口部に被せた透明
カバーとで形成したので、サムターンの周囲は連続した一体の筒状体周壁面によって保護
され、また透明カバーによって開口部上面をカバーされているため、外部から扉の隙間に
針金などを通してもサムターンの周囲及び上面に接触することができず、サムターンの摘
み部を回転することができない。よって、ピッキングなどの不正な開錠操作を防止するこ
とができる。
そして、扉の内側からのサムターンの施錠および開錠の操作は、透明カバーを開けて筒状
体内部のサムターンを回転させる際に、透明カバーを軽く指で回動させ、続いてその指を
そのまま筒状体内部に挿入し、内部のサムターンの摘み部を指で摘んで回転させ、一連の
操作を連続して円滑に行えるため、筒状体の内壁面に指が引っ掛かることなく、サムター
ン回転防止カバーに何ら阻害されることなく簡単に行うことができる。
【００１２】
また、請求項２に係る発明のサムターン回転防止カバーは、上記筒状体は強化プラスチ
ックパイプ材、ステンレスパイプ材などからなる剛構造体で形成し、上記透明カバーは、
アクリル等のプラスチック材で形成したので、筒状体は強度が高いため破れたり壊れたり
することなく、透明カバーを透して筒状体の内部は室内側から目視することができ、使い
易い構造部材となる。
そして、筒状体はパイプ材を用いて簡単かつ経済的に製作することができ、透明カバー
はアクリル等の軽量かつ簡単なプラスチック部材で製作することができる。
【００１３】
また、請求項３のサムターン回転防止カバーは、上記透明カバーは扉の内壁面に平行す
る平面内を左右に回転移動するように、上記筒状体の上端縁の支軸に取付けた平面板、指
を掛ける孔を設けた平面板で形成したので、扉の手前側に大きな回転範囲を要することな
く扉の開閉に邪魔になることもないため、片手の指を孔に掛けて透明カバーを回動し、簡
単容易に筒状体の開口部を開放して、開口内部のサムターンを回転操作することができる
。
そして、透明カバーは、自重で自然に下方に回動して戻るように支軸に取付けておくこと
により、筒状体開口部の閉鎖が確実となり手がかからないようにすることができる。
また、透明カバーはアクリル等プラスチック材などの平面板を用いているので、経済的
に製作することができる。
【発明を実施するための最良の形態】
【００１４】
この発明に係るサムターン回転防止カバーの実施の形態について、図１乃至図３を参照
して説明する。
図１乃至３は、扉６のサムターン７にサムターン回転防止カバーを取付けた状態を示す
もので、図１は斜視説明図、図２は垂直方向から見た平面説明図、図３は側断面説明図で
ある。
【００１５】
サムターン回転防止カバーは、サムターン７の周囲全体を連続して一体に覆うように
、扉６の内壁面に固定した筒状体、つまり一体壁面を有する構造の円筒体１と、該円筒体
１の扉壁面側と対向する側、つまり上面側の開口部に被せた透明カバー２とで形成する。
３は取付金具で、円筒体１の下端部を扉６に取付けるための帯状部材であり、４はこの
取付金具３を固定するネジである。
５は支軸で、透明カバー２を円筒体１の上部側縁に、扉６の壁面に平行した平面内で左
右に回転自在に固定するための部材である。
【００１６】
円筒体１の直径は、指による摘み部８の回転に支障とならないように、摘み部８の周囲に
間隔をおいてやや大きくする。また、円筒体１の高さは、扉６の開閉に邪魔にならないよ
うに、摘み部８の上面位置より少し高い程度とする。なお、円筒体１はデザイン、使いや
すさ等を勘案して、多角形の筒状体を採用しても良い。
【００１７】
サムターン７は、サムターン回転防止カバーを構成する円筒体１と透明カバー２に覆わ
れるため、外部から扉の隙間に針金などを通してもサムターン７に届くことができず、サ
ムターン７を回転することができないため、外部からの不正な開錠操作、ピッキングなど
を防止することができる。
【００１８】
扉6の内側からのサムターン７の施錠および開錠の操作は、片手の指を使って左右何れか
の方向へ支軸５を中心にして透明カバー２を回転させて、円筒体１の上部を開口し、その
指をそのまま開口部内に差込んで、円筒体１内部のサムターン７の摘み部８を摘んで回転
させる。或いは、片手の指で透明カバー２を回転させ円筒体１を開口状態に固定維持した
後に、続いて他方の手の指で円筒体１内部のサムターン７の摘み部８を回転させる。
このように、透明カバー２を開けて筒状体内部のサムターン７を回転させる操作は、少な
くとも片方の手の指を使用して連続して円滑に行えるため、また筒状体の内壁面に指が引
っ掛かることもなくケガをすることもないため、サムターン回転防止カバーに何ら阻害さ
れることなく簡単にサムターン７の施錠及び開錠操作を行うことができる。
【００１９】
また、円筒体１は強化プラスチックパイプ材、ステンレスパイプ材などからなる剛構造
体で形成し、透明カバー２はプラスチック材で形成する。
そして、円筒体１はパイプ材を用いて所定長さに切断加工して簡単かつ経済的に製作す
ることができる。また、透明カバー２は軽量なプラスチック材の簡単な平面部材を円形に
切断して経済的に製作することができる。
このように、剛構造の円筒体１は強度が高いため破れたり壊れたりすることなく、プラス
チック材よりなる透明カバー２は、室内側から内部の摘み部８を目視することができるた
め、サムターン回転防止カバーは使い易い構造部材となる。
【００２０】
また、上記透明カバー２は、扉６の内壁面に平行する平面内で左右に回転移動するよう
に、上記円筒体１の上端縁に支軸５を介して取付けた平面板で形成したので、扉６の内側
に大きな回転範囲を要することなく、片手の指を使って簡単容易かつ軽快に透明カバー２
を回動して円筒体１上部を開口し、この開口内部へその指をそのまま滑り込ませるように
移動して、サムターン７の摘み部８を摘んで回転操作することができる。
そして、回動させた透明カバー２は、支軸５を回転軸にして自重で下方に回動し戻って
円筒体１の開口部を塞ぐように取付けることによって、開口部の閉鎖を確実にすることが
でき、手を煩わせることなく自然に行うことができる。
【００２１】
図４は、透明カバー２に孔１０を設けた場合の実施形態例である。
孔１０は、支軸５と離れた位置に、図示のように二個、又は一個設ける。この孔１０は
、指が入るか指の先が掛かる程度の大きさの貫通孔、或いは指が掛かる程度の浅い窪みと
する。この孔１０に片方の手の指を掛けて透明カバー２を回転させ、次いで、他方の手の
指を使って筒状体内部のサムターンの摘み部を回転操作する。このように、孔１０を設け
た場合には、透明カバー２の回動操作がさらにやり易くなる。
【００２２】
図５は、透明カバー２の他の実施形態例である。
図５のように、透明カバー２の支軸５から離れた円周縁近傍位置に、ボタン状の摘み１１
を設け、この摘み１１の下部軸芯にスプリング１３を介装し、透明カバー２から下方に弾
力で突出する突起バー１２を設ける。
筒状体の上面を開口する際には、まず摘み１１を指で摘んでスプリング１３に抗して突
起バー１２を凹ませ、支軸５を中心にして透明カバー２を回転させて筒状体上面を開口し
、次いで摘み１１を放して筒状体の外周縁で突起バー１２を突出させて固定する。
このように突起バー１２は、筒状体の外周縁に当接してストッパーとなり、開放状態が固
定できるため、少なくとも片方の手の指によって、透明カバー２の操作と筒状体内部のサ
ムターン摘み部の操作が簡単にできる。また、筒状体の内部の清掃もし易くなる。
【００２３】
さらに、筒状体を扉の内壁面に固着する手段は、図示はしないが、筒状体の端縁を鍔状
に曲折して、その鍔状下面を両面接着テープや接着剤で接着するか、面状ファスナー接合
や磁石接合、或いは簡単なビス止め等で固着する。
このように簡単な固着構造に形成すると、特別な工具を必要とすることなく取付け・取外
しが簡単容易となり、ＤＩＹ（Ｄｏ  Ｉｔ  Ｙｏｕｒｓｅｌｆ）アイデア用品として、大
きな一般需要を期待することができる。
また、鍔部を有する筒状体は、金属の板金や合成樹脂型などのプレス加工で一体成形する
と、製作が容易となり、安価に生産することが可能となる。
【産業上の利用可能性】
【００２４】
筒状体は、筒体寸法を変えて種々の大きさのものを製作し、また取付け取外しを簡単容易
にすることができるため、種々の扉のサムターンに対応させて使用することができため、
ピッキング犯罪防止のための簡単な部材よりなる、防犯アイデア製品として利用拡大を図
ることが可能となる。
【図面の簡単な説明】
【００２５】
【図１】この発明に係るサムターン回転防止カバーの実施形態例を示す斜視説明図である。
【図２】図１の正面説明図である。
【図３】図１の側面説明図である。
【図４】透明カバーの実施形態例を示す正面説明図である。
【図５】透明カバーの他の実施形態例を示す斜視説明図である。
【符号の説明】
【００２６】
１  円筒体（筒状体）
２  透明カバー
３  取付金具
４  ネジ
５  支軸
６  扉
７  サムターン
８  摘み部
９  リング座部
１０  孔
１１  摘み
１２  突起バー
１３  スプリング
【図１】
2005083012.tif 000003
【図２】
2005083012.tif 000004
【図３】
2005083012.tif 000005
【図４】
2005083012.tif 000006
【図５】
2005083012.tif 000007